(57)【要約】【課題】ＦＰＤカセッテを装填したりＦＰＤカセッテを抜き出す際に、ＦＰＤカセッテのコネクタ部とブッキー撮影台のコネクタとを的確に着脱させることが可能なブッキー撮影台を提供する。【解決手段】ブッキー撮影台１は、装填されたＦＰＤカセッテＦを保持する保持部６と、ＦＰＤカセッテＦのコネクタ部ｆｃに接続可能なコネクタ８とを備え、保持部６には、装填されたＦＰＤカセッテＦの所定位置への保持、解除を行うロック部材６３等が設けられており、コネクタ８は、一端側がＦＰＤカセッテＦのコネクタ部ｆｃから離間するように揺動可能とされており、ロック部材６３の保持動作に連動して一端側がＦＰＤカセッテＦに接近する方向に揺動することでコネクタ８がコネクタ部ｆｃと接続し、ロック部材６３の解除動作に連動して一端側がＦＰＤカセッテＦから離れる方向に揺動して離間することでコネクタ８とコネクタ部ｆｃとの接続が解除される。【選択図】図２
2012110542.tif 000002
【特許請求の範囲】
【請求項１】
筐体に収納されたＦＰＤカセッテを装填可能なカセッテホルダを備えるブッキー撮影台であって、
前記カセッテホルダは、
装填された前記ＦＰＤカセッテを保持する保持部と、
前記保持部に保持された前記ＦＰＤカセッテのコネクタ部に接続可能なコネクタと、
を備え、
前記保持部には、
装填される前記ＦＰＤカセッテの一端側および他端側を支持し、かつ、装填時に、前記ＦＰＤカセッテの移動を案内するガイド部材と、
装填された前記ＦＰＤカセッテの所定位置への保持および保持の解除を行うロック部材と、
が設けられており、
前記コネクタは、
装填された前記ＦＰＤカセッテの前記コネクタ部に対して一端側が前記コネクタ部から離間するように揺動可能とされており、
前記ロック部材が保持動作を行うと、それに連動して前記一端側が前記ＦＰＤカセッテに接近する方向に揺動することで、当該コネクタが前記コネクタ部と接続し、
前記ロック部材が解除動作を行うと、それに連動して前記一端側が前記ＦＰＤカセッテから離れる方向に揺動して離間することで、当該コネクタと前記コネクタ部との接続が解除されることを特徴とするブッキー撮影台。
【請求項２】
前記コネクタは、前記ＦＰＤカセッテの前記コネクタ部と接続する方向に付勢されていることを特徴とする請求項１に記載のブッキー撮影台。
【請求項３】
前記コネクタは、前記保持部に固定された支点を中心として回動可能に取り付けられたリンク部材の一端側に揺動可能に取り付けられており、
前記リンク部材は、
その他端側が、装填時に前記ガイド部材に沿って移動してくる前記ＦＰＤカセッテに抗する方向に付勢されており、
装填時に、前記他端側に当接した前記ＦＰＤカセッテにより前記他端側が押されることにより回動して、前記一端側に設けられた前記コネクタが前記ＦＰＤカセッテに接近するように構成されていることを特徴とする請求項１または請求項２に記載のブッキー撮影台。
【請求項４】
前記コネクタと前記ＦＰＤカセッテの前記コネクタ部とが磁着により接続されるように構成されていることを特徴とする請求項１から請求項３のいずれか一項に記載のブッキー撮影台。
【請求項５】
前記コネクタに、前記ＦＰＤカセッテの前記コネクタ部に設けられた金属板に磁着可能なマグネットが設けられていることを特徴とする請求項４に記載のブッキー撮影台。
【発明の詳細な説明】
【技術分野】
【０００１】
本発明は、ブッキー撮影台に係り、特に、放射線画像撮影装置等を装填して使用するためのブッキー撮影台に関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を放射線検出素子で検出してデジタル画像データとして取得する放射線画像撮影装置（Flat Panel Detector）が開発されている。
【０００３】
ＣＲ装置では、従来から、輝尽性蛍光体シート等をカセッテ状の筐体内に収納した、いわゆるＣＲカセッテを、ブッキー撮影台に装填して放射線画像撮影が行われることが多い。
【０００４】
一方、放射線画像撮影装置は、従来、支持台等と一体的に形成された、いわゆる専用機として開発されたが（例えば特許文献１、２参照）、近年、放射線検出素子等を筐体内に収納して可搬とした可搬型の放射線画像撮影装置が開発され、実用化されている（例えば特許文献３、４参照）。
【０００５】
以下、このような可搬型の放射線画像撮影装置を、ＦＰＤカセッテという。そして、ＦＰＤカセッテを装填するブッキー撮影台も、種々開発されている（例えば特許文献５等参照）。
【０００６】
ところで、ＦＰＤカセッテは、ブッキー撮影台に装填されない、いわば単独の状態で撮影に用いることもできるため、ＦＰＤカセッテ内の各機能部に電力を供給するためのバッテリが内蔵されている場合がある。
【０００７】
しかし、ＦＰＤカセッテをブッキー撮影台に装填して用いる場合には、ブッキー撮影台等からＦＰＤカセッテに電力を供給するように構成すれば、バッテリの消耗を防止することが可能となる。また、ＦＰＤカセッテに電力を供給するケーブル等を介して画像データの送信等も行うことができるようになるため、便利である。
【０００８】
そして、ＦＰＤカセッテがブッキー撮影台からの電力の供給を受けることができるようにするために、例えば図１０に示すように、ＦＰＤカセッテＦの角隅部等に、図示しないカセッテ内部の配線と接続された複数のピンｆｃ１を備えるコネクタ部ｆｃが設けられる場合がある。
【０００９】
そして、図１１に示すように、このＦＰＤカセッテＦのコネクタ部ｆｃに、ブッキー撮影台に設けられたケーブルＢcaの先端に取り付けられたコネクタＢｃを接続することで、ケーブルＢcaやコネクタＢｃを介してＦＰＤカセッテＦに電力を供給したり、ＦＰＤカセッテＦからの画像データの送信を行ったりすることが可能となる。
【００１０】
ＦＰＤカセッテＦのコネクタ部ｆｃとブッキー撮影台のコネクタＢｃとが確実に接続されるようにするために、例えば、ブッキー撮影台のコネクタＢｃに図示しないマグネットを設け、図１０に示すようにＦＰＤカセッテＦのコネクタ部ｆｃにコネクタＢｃのマグネットが磁着可能な金属板ｆｃ２を設けておくように構成することも可能である。
【先行技術文献】
【特許文献】
【００１１】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】特開２０００−３７３８２号公報
【発明の概要】
【発明が解決しようとする課題】
【００１２】
しかしながら、ＦＰＤカセッテＦのコネクタ部ｆｃとブッキー撮影台のコネクタＢｃとを磁着させると、ＦＰＤカセッテＦをブッキー撮影台から抜き出す際に、ＦＰＤカセッテＦのコネクタ部ｆｃとブッキー撮影台のコネクタＢｃとが離れ難くなる。
【００１３】
すなわち、ＦＰＤカセッテＦをブッキー撮影台から抜き出す際、ＦＰＤカセッテＦとコネクタＢｃには、図１１に矢印で示したように、それらの接続面に対して垂直な方向に力を加えて引き離すことになるが、比較的強い力を加えないと容易に引き離すことができなくなる。
【００１４】
このように、ＦＰＤカセッテＦのコネクタ部ｆｃとブッキー撮影台のコネクタＢｃとを磁着させるように構成すると、確かにコネクタｆｃとコネクタＢｃとが確実に接続されるようになるが、その反面、ＦＰＤカセッテＦをブッキー撮影台から抜き出し難くなってしまうといった問題がある。
【００１５】
本発明は、上記の点を鑑みてなされたものであり、ＦＰＤカセッテを装填したりＦＰＤカセッテを抜き出す際に、ＦＰＤカセッテのコネクタ部とブッキー撮影台のコネクタとを的確に、且つ、容易に着脱させることが可能なブッキー撮影台を提供することを目的とする。
【００１６】
また、ＦＰＤカセッテＦをブッキー撮影台に装填する際に、ＦＰＤカセッテＦがコネクタＢｃ等と衝突する等して、その衝撃等により、ブッキー撮影台とＦＰＤカセッテＦとの係合に関わる部材、特にコネクタＢｃが破損しまう虞れがある。
【００１７】
そこで、本発明は、ＦＰＤカセッテのブッキー撮影台への装填時に、ＦＰＤカセッテがブッキー撮影台の各部材、特にコネクタに衝突して、コネクタ等が破損することを的確に防止することが可能なブッキー撮影台を提供することをも目的とする。
【課題を解決するための手段】
【００１８】
前記の問題を解決するために、本発明のブッキー撮影台は、
筐体に収納されたＦＰＤカセッテを装填可能なカセッテホルダを備えるブッキー撮影台であって、
前記カセッテホルダは、
装填された前記ＦＰＤカセッテを保持する保持部と、
前記保持部に保持された前記ＦＰＤカセッテのコネクタ部に接続可能なコネクタと、
を備え、
前記保持部には、
装填される前記ＦＰＤカセッテの一端側および他端側を支持し、かつ、装填時に、前記ＦＰＤカセッテの移動を案内するガイド部材と、
装填された前記ＦＰＤカセッテの所定位置への保持および保持の解除を行うロック部材と、
が設けられており、
前記コネクタは、
装填された前記ＦＰＤカセッテの前記コネクタ部に対して一端側が前記コネクタ部から離間するように揺動可能とされており、
前記ロック部材が保持動作を行うと、それに連動して前記一端側が前記ＦＰＤカセッテに接近する方向に揺動することで、当該コネクタが前記コネクタ部と接続し、
前記ロック部材が解除動作を行うと、それに連動して前記一端側が前記ＦＰＤカセッテから離れる方向に揺動して離間することで、当該コネクタと前記コネクタ部との接続が解除されることを特徴とする。
【００１９】
また、本発明のブッキー撮影台は、上記の構成において、
前記コネクタは、前記保持部に固定された支点を中心として回動可能に取り付けられたリンク部材の一端側に揺動可能に取り付けられており、
前記リンク部材は、
その他端側が、装填時に前記ガイド部材に沿って移動してくる前記ＦＰＤカセッテに抗する方向に付勢されており、
装填時に、前記他端側に当接した前記ＦＰＤカセッテにより前記他端側が押されることにより回動して、前記一端側に設けられた前記コネクタが前記ＦＰＤカセッテに接近するように構成されていることを特徴とする。
【発明の効果】
【００２０】
本発明のような方式のブッキー撮影台によれば、コネクタを、装填されたＦＰＤカセッテのコネクタ部に対して一端側がコネクタ部から離間したり接近したりして揺動することができるように構成した。そして、ロック部材が保持動作を行うとそれに連動してコネクタの一端側が揺動してコネクタ部と接続し、ロック部材が解除動作を行うとそれに連動してコネクタの一端側がＦＰＤカセッテから離れる方向に揺動して離間することで、コネクタ部との接続が解除されるように構成した。
【００２１】
そのため、ＦＰＤカセッテを使用している最中にコネクタとＦＰＤカセッテのコネクタ部との接続が外れてしまうことを防止するために、比較的強い磁力のマグネットを用いて確実に接続するように構成される場合であっても、ＦＰＤカセッテを保持部から抜き出す際には、コネクタをＦＰＤカセッテのコネクタ部から的確かつ容易に引き離すことが可能となる。
【００２２】
このように、本発明のような方式のブッキー撮影台によれば、ＦＰＤカセッテを装填したり、ＦＰＤカセッテを抜き出す際に、ブッキー撮影台のコネクタとＦＰＤカセッテのコネクタ部とを的確に着脱させることが可能となる。
【００２３】
また、本発明のような方式のブッキー撮影台によれば、支点を中心として保持部に回動可能に取り付けられたリンク部材を設けた。そして、リンク部材の一端側にコネクタを設け、他端側を、装填時にガイド部材に沿って移動してくるＦＰＤカセッテに抗する方向に付勢されるように構成したため、ＦＰＤカセッテの装填時に、移動してくるＦＰＤカセッテをリンク部材の他端側で受け止めて、他端側を付勢するバネ等でその衝撃を吸収するため、ＦＰＤカセッテがコネクタやリンク部材等に衝突することを的確に防止することが可能となる。
【００２４】
そのため、ＦＰＤカセッテのブッキー撮影台の保持部への装填時に、ＦＰＤカセッテがブッキー撮影台のリンク部材等の各部材、特にコネクタに衝突して、コネクタ等が破損することを的確に防止することが可能となる。
【図面の簡単な説明】
【００２５】
【図１】本実施形態に係るブッキー撮影台を表す図であり、（Ａ）は外観斜視図、（Ｂ）外観側面図を表す。
【図２】保持部の構成を表す図である。
【図３】コネクタの構成を表す図であり、（Ａ）は正面図であり、（Ｂ）は側面図を表す。
【図４】ＦＰＤカセッテのコネクタ部の構成を表す図である。
【図５】図２のＸ−Ｘ線に沿う断面図であり、（Ａ）は保持状態になっているロック部材、（Ｂ）解除状態になっているロック部材を表す。
【図６】保持部に装填されているＦＰＤカセッテがリンク部材の受け部材に当接した状態を表す図である。
【図７】図６の状態からさらにＦＰＤカセッテが押し込まれると、リンク部材が鉛直方向を向くように回動し、コネクタが揺動して、コネクタの上端側が下端側よりもＦＰＤカセッテから離間する状態になることを表す図である。
【図８】図７の状態からさらにＦＰＤカセッテが押し込まれると、ロック部材が保持動作を行い、コネクタが揺動して、ＦＰＤカセッテのコネクタ部に接続されることを表す図である。
【図９】ＦＰＤカセッテのコネクタ部が下方に位置する状態で装填するタイプのブッキー撮影台における保持部等の構成を表す図である。
【図１０】ＦＰＤカセッテの角隅部等に設けられたコネクタ部の例を表す図である。
【図１１】磁着されたコネクタとＦＰＤカセッテのコネクタ部とをそれらの接続面に対して垂直な方向に力を加えて引き離す状態を表す図である。
【発明を実施するための形態】
【００２６】
以下、本発明に係るブッキー撮影台の実施の形態について、図面を参照して説明する。ただし、本発明は以下の図示例のものに限定されるものではない。
【００２７】
図１（Ａ）、（Ｂ）は、本実施形態に係るブッキー撮影台の外観図であり、（Ａ）は外観斜視図、（Ｂ）は外観側面図である。本実施形態では、ブッキー撮影台１は、カセッテホルダ２と、カセッテホルダ２を上下方向に移動可能に支持する支柱３と、支柱３等を図示しない床面等に固定するための脚部４等を備えて構成されている。
【００２８】
なお、本実施形態では、ブッキー撮影台１が、図１（Ａ）、（Ｂ）に示すように、カセッテホルダ２の手前側に被写体である患者等の図示しない被験者を起立させた状態で放射線画像撮影を行う、いわゆる立位撮影用のブッキー撮影台の場合について説明するが、例えば特許文献５に示されているように被験者を天板等の上に横臥させた状態で放射線画像撮影を行う、いわゆる臥位撮影用のブッキー撮影台の場合にも、本発明を適用することが可能である。
【００２９】
カセッテホルダ２は、装填されるＦＰＤカセッテＦ（後述する図２等参照）を収納する本体部５を備えている。本体部５は、左右いずれかの側面部に開口５１が設けられた筐体状に形成されており、開口５１には扉部５２が設けられており、扉部５２は、本体部５の背面側に設けられた図示しない蝶番構造により開閉可能とされている。
【００３０】
そして、後述するように、ＦＰＤカセッテＦが装填されて本体部５内に収納され、扉部５２が閉鎖されることで、開口５１が閉塞されて、ＦＰＤカセッテＦが本体部５内に収納されるようになっている。また、本体部５１の筐体の上面部には、被験者の胸部レントゲン撮影等を行う際に被験者が顎を載せるための窪み５３が設けられている。
【００３１】
本体部５の内部には、図２に示すように、装填されたＦＰＤカセッテＦを保持する保持部６が設けられている。なお、上記のように、扉部５２を開放した際に、開口５１を介して保持部６を本体部５から多少外側に引き出すことができるように構成することも可能である。このように保持部６を引き出すことができるように構成すれば、ＦＰＤカセッテＦの装填や抜き出しを行い易くなる。
【００３２】
保持部６には、装填されるＦＰＤカセッテＦの上端および下端を支持し、装填時に、ＦＰＤカセッテＦの移動を案内するガイド部材６１ａ、６１ｂと、装填時に移動してきたＦＰＤカセッテＦの移動を停止させて、ＦＰＤカセッテＦの保持部６に対する位置を固定させるストッパ６２とが設けられている。
【００３３】
また、保持部６の開口５１（図１参照）側には、ＦＰＤカセッテＦが装填される際には、装填されたＦＰＤカセッテＦをガイド部材６１ａ、６１ｂやストッパ６２とともに所定位置に保持し、また、ＦＰＤカセッテＦを抜き出す際には、保持を解除してＦＰＤカセッテＦの抜き出し方向への移動を許容するロック部材６３が設けられている。
【００３４】
本実施形態では、ロック部材６３は、後述するように、保持部６の背面側から表面側に突出可能な係止爪６３ａを有している。そして、係止爪６３ａが、保持部６の表面側に突出する状態になると、装填されたＦＰＤカセッテＦに係止し、ＦＰＤカセッテＦの移動を阻止してＦＰＤカセッテＦを所定位置に保持するようになっている。
【００３５】
また、係止爪６３ａが、保持部６の背面側に退出した状態（すなわち係止爪６３ａが保持部６の背後に引っ込んだ状態）になると、装填されたＦＰＤカセッテＦに対する係止が解除されて、ＦＰＤカセッテＦの保持を解除し、ＦＰＤカセッテＦの移動を許容するようになっている。
【００３６】
なお、このロック部材６３の動作と、下記のコネクタ８の揺動動作が連動して、ＦＰＤカセッテＦのコネクタ部ｆｃに対するコネクタ８の着脱が自動的に行われるようになっているが、この点については、後で説明する。また、本実施形態では、保持部６は、図２に示す回転軸Ｏ（軸方向は図２の紙面に垂直の方向）中心を中心として、９０°回転や１８０°回転できるようになっており、ＦＰＤカセッテＦを保持した状態で回転（回動）することにより、ＦＰＤカセッテＦの向きを変えることができるようになっている。
【００３７】
本実施形態では、保持部６の、装填されるＦＰＤカセッテＦの移動方向の奥側（すなわち本体部５で見た場合には開口５１の反対側）には、略棒状のリンク部材７が、保持部６に固定された支点７１を中心として回動可能に取り付けられている。
【００３８】
そして、リンク部材７の一端側には、コネクタ８が、リンク部材７に固定された支点８１を中心として揺動可能に取り付けられている。コネクタ８の構成等については後述する。また、リンク部材７の他端側には、装填時にガイド部材６１ａ、６１ｂに沿って移動してくるＦＰＤカセッテＦに受け止める受け部材７２が設けられている。
【００３９】
本実施形態では、受け部材７２と、保持部６に固定された支持部７３との間には、バネ７４が設けられており、受け部材７２は、バネ７４の弾発力により、装填時にガイド部材６１ａ、６１ｂに沿って移動してくるＦＰＤカセッテＦに抗する方向に付勢されている。
【００４０】
なお、受け部材７２の反対側すなわちリンク部材７のコネクタ８が設けられた側には、バネ７４の弾発力によりリンク部材７が鉛直方向から傾き過ぎないようにするための、保持部６に固定された止め部材７５が設けられている。
【００４１】
そして、リンク部材７は、ＦＰＤカセッテＦが装填されていない状態では、その一端側が止め部材７５に当接しており、鉛直方向から若干傾いた状態になっている。また、そのため、受け部材７２は、ＦＰＤカセッテＦが装填されていない状態では、保持部６に設けられた前述したストッパ６２よりも開口５１側（すなわち図２上では右側）に位置する状態になっている。
【００４２】
なお、ＦＰＤカセッテＦの装填時におけるリンク部材７やコネクタ８の動き等については、後で説明する。
【００４３】
次に、コネクタ８の構成等について説明する。
【００４４】
図３（Ａ）、（Ｂ）は、コネクタ８の正面図および側面図である。本実施形態では、コネクタ８は、基本的に、支持体８ａから所定本数のピン８ｂが突出された構成とされており、各ピン８ｂの両側には、マグネット８ｃが上下方向に延在する状態でそれぞれ支持体８ａに固定されている。
【００４５】
また、コネクタ８の各ピン８ｂは、先端部分がマグネット８ｃより外側にそれぞれ突出するように構成されているが、支持体８ａに対して各ピン８ｂの軸方向に移動可能とされている。そして、図示を省略するが、各ピン８ｂは、支持体８ａの内部でそれらの後端部分がバネ等の弾性体により突出方向（すなわち図３（Ａ）では手前側、図３（Ｂ）では右向き（支点８１を揺動中心とする反時計方向廻り））に付勢されている。
【００４６】
また、コネクタ８の支持体８ａの各ピン８ｂが設けられた面の、各ピン８ｂの上下の位置には、後述するＦＰＤカセッテＦのコネクタ部ｆｃに設けられた孔ｆｃ３に挿入されることで、ＦＰＤカセッテＦとコネクタ８との位置決め、すなわちそれらの上下方向や水平方向の相対的な位置関係を確定されるための位置決めピン８ｄがそれぞれ突設されている。
【００４７】
さらに、コネクタ８の支持体８ａには、コネクタ８の各ピン８ｂをそれぞれ接続された図示しない各導線が内包されたケーブル９が接続されている。なお、ケーブル９は、図２に示すように、保持部６の所定の位置に設けられた貫通孔を介して保持部６の背面側に挿通され、保持部６の背面側で回転軸Ｏに向かう方向に配置されるようになっている。
【００４８】
なお、ここで、コネクタ８が接続されるＦＰＤカセッテＦ側のコネクタ部ｆｃの構成について説明する。
【００４９】
本実施形態では、ＦＰＤカセッテＦの一端面には、図４に示すように、コネクタ部ｆｃが設けられている。そして、コネクタ部ｆｃには、コネクタ８の各ピン８ｂとそれぞれ接触する端面が平面状の各ピンｆｃ１が並設されており、各ピンｆｃ１の両側には、コネクタ８のマグネット８ｃが磁着可能な金属板ｆｃ２が設けられている。
【００５０】
また、ＦＰＤカセッテＦのコネクタ部ｆｃの各ピンｆｃ１の上下の位置には、上記のように、コネクタ８の各位置決めピン８ｄが挿入されることで、ＦＰＤカセッテＦとコネクタ８との位置決めを行うための孔ｆｃ３がそれぞれ設けられている。本実施形態では、図３に示したように、コネクタ８の各位置決めピン８ｄは、各孔ｆｃ３に挿入され易いように、角部がテーパ状に面取りされている。
【００５１】
そして、コネクタ８のマグネット８ｃがＦＰＤカセッテＦのコネクタ部ｆｃの金属板ｆｃ２と磁着する際に、各位置決めピン８ｄが各孔ｆｃ３に挿入されながらＦＰＤカセッテＦとコネクタ８との上下方向や水平方向の相対的な位置関係が確定される。また、それとともに、ＦＰＤカセッテＦ側の端面が平面状の各ピンｆｃ１にコネクタ８の各ピン８ｂの先端部分がそれぞれ当接した状態で、各ピンｆｃ１により各ピン８ｂが押圧される。
【００５２】
そして、コネクタ８側の各ピン８ｂがＦＰＤカセッテＦ側の各ピンｆｃ１との接触を維持した状態でコネクタ８の支持体８ａ側に押し下げられて、コネクタ８のマグネット８ｃがＦＰＤカセッテＦの金属板ｆｃ２と磁着する。このようにして、ＦＰＤカセッテＦとコネクタ８との位置決めがなされ、各ピンｆｃ１と各ピン８ｂとが確実に電気的に接続された状態で、ＦＰＤカセッテＦとコネクタ８とを接続することが可能となる。
【００５３】
一方、図２や図３（Ｂ）に示すように、本実施形態では、コネクタ８の各ピン８ｂが設けられた側の下端部分には、リンク部材７に固定された支点８１が設けられており、コネクタ８は、支点８１を中心として揺動することができるようになっている。
【００５４】
また、本実施形態では、コネクタ８の下端とリンク部材７に固定された支持部７６との間には、バネ７７が設けられており、コネクタ８は、コネクタ８の中心軸（すなわち図３（Ｂ）における上下方向の軸）がリンク部材７の延在方向と同じ方向を向く状態になるように付勢されている。
【００５５】
そして、本実施形態では、コネクタ８の下端側には、ワイヤＷが取り付けられており、後述するように、ロック部材６３が解除動作を行うと、ワイヤＷが図２や図３（Ｂ）における下向き（支点８１を揺動中心とする時計方向廻り）に引っ張られて、コネクタ８の上端側が図２や図３（Ｂ）における左向きに揺動するようになっている。
【００５６】
なお、ワイヤＷは、保持部６の背面を通るチューブＴ内に挿通されており、チューブＴは、図２に示すように、保持部６の所定の位置に設けられた貫通孔に挿通されて保持部６の背面側に配置され、後述する図５（Ａ）、（Ｂ）に示すように、ロック部材６３の部分にワイヤＷを案内するようになっている。
【００５７】
また、本実施形態では、コネクタ８の上端側が揺動し過ぎないようにするために、コネクタ８の上端部に設けられた長円状の孔部８２に、リンク部材７に固定されたボス７８挿通するように構成されており、それらによってコネクタ８の揺動範囲が規制されるようになっている。
【００５８】
次に、前述したロック部材６３（図２参照）の構成等について説明する。図５（Ａ）、（Ｂ）は、図２のＸ−Ｘ線に沿う断面図であり、図５（Ａ）は、後述する保持状態になっているロック部材６３、図５（Ｂ）は、後述する解除状態になっているロック部材６３を表す。
【００５９】
図５（Ａ）に示すように、ロック部材６３は、一端側に前述した係止爪６３ａが設けられ、他端側に保持部６に固定された揺動軸６３ｂを備えて構成されており、揺動軸６３ｂを中心として、係止爪６３ａ側が揺動可能とされている。また、係止爪６３ａの背面側には、Ｌ字状のワイヤリング部材６３ｃが設けられている。
【００６０】
ワイヤリング部材６３ｃのＬ字状の一方の腕部は、係止爪６３ａの背面に当接する状態とされており、また、ワイヤリング部材６３ｃのＬ字状の他方の腕部には、前述したワイヤＷが取り付けられている。そして、ワイヤリング部材６３ｃは、２本の腕部の交点部分に揺動軸６３ｄが設けられており、揺動軸６３ｄを中心として揺動するようになっている。
【００６１】
図５（Ａ）では、ＦＰＤカセッテＦの装填が完了した状態、すなわちガイド部材６１ａ、６１ｂ（図２参照）に沿って移動してきたＦＰＤカセッテＦがストッパ６２に当接した状態を表しており、以下、この状態を保持状態という。
【００６２】
保持状態では、図５（Ａ）に示すように、ロック部材６３の係止爪６３ａが、保持部６の背面側から表面側に突出して、ＦＰＤカセッテＦの端部に係止してＦＰＤカセッテＦの移動を阻止するようになっており、ロック部材６３の係止爪６３ａと、ストッパ６２と、上下のガイド部材６１ａ、６１ｂにより、装填されたＦＰＤカセッテＦが、保持部６における所定の位置に保持されるようになっている。
【００６３】
なお、ＦＰＤカセッテＦが装填されていない状態（すなわち図５（Ａ）においてＦＰＤカセッテＦが存在しない状態）においても、ロック部材６３は、同様の姿勢をとる。また、以下、後述する図５（Ｂ）に示す解除状態から、図５（Ａ）に示した保持状態に移行する際のロック部材６３の動作を、ロック部材６３の保持動作という。
【００６４】
一方、装填されたＦＰＤカセッテＦを保持部６から抜き出す際には、放射線技師等の操作により、図５（Ｂ）に示すように、ロック部材６３の係止爪６３ａが保持部６の背面側に退出せしめられる（すなわち係止爪６３ａが保持部６の背後に引っ込められる。）。なお、以下、このようにロック部材６３の係止爪６３ａが保持部６の背面側に退出してＦＰＤカセッテＦに対する係止爪６３ａの係止が外れた状態を、解除状態といい、また、以下、前述した図５（Ａ）に示した保持状態から、図５（Ｂ）に示す解除状態に移行する際のロック部材６３の動作を、ロック部材６３の解除動作という。
【００６５】
具体的には、放射線技師等により解除操作が行われると、図５（Ｂ）に示すように、ロック部材６３が揺動軸６３ｂを中心として揺動して、係止爪６３ａが保持部６の背面側に退出する。
【００６６】
そして、係止爪６３ａが保持部６の背面側に退出すると（すなわちロック部材６３が解除動作を行うと）、保持部６の背面側に退出した係止爪６３ａによりワイヤリング部材６３ｃの一方の腕部が押されるため、ワイヤリング部材６３ｃが揺動軸６３ｄを中心として揺動して、ワイヤリング部材６３ｃの他方の腕部に取り付けられたワイヤＷが引っ張られるようになっている。
【００６７】
なお、このワイヤＷが、チューブＴを介して、前述したコネクタ８の下端側に接続されており、ロック部材６３の解除動作に連動してワイヤリング部材６３ｃがワイヤＷを図５（Ｂ）における右向きに引っ張ると、そのワイヤＷの動きがコネクタ８の下端側を図２や図３（Ｂ）における下向きに引っ張る動きに連動するようになっている。
【００６８】
そのため、コネクタ８は、ロック部材６３の解除動作に連動して、図２や図３（Ｂ）における左向きに揺動し得るようになる。
【００６９】
また、逆に、ロック部材６３が図５（Ｂ）に示した状態から図５（Ａ）に示した状態に戻る保持動作を行う際には、ロック部材６３の保持動作に連動して、ワイヤリング部材６３ｃがワイヤＷを図５（Ｂ）における右向きに引っ張る力が弱まり、若しくはなくなる（すなわちワイヤＷを引っ張らなくなる。）。
【００７０】
そのため、ワイヤＷがコネクタ８の下端側を図２や図３（Ｂ）における下向きに引っ張る力が弱まり、若しくはなくなる。そのため、図２や図３（Ｂ）における左向きに揺動していたコネクタ８は、ワイヤＷが引っ張る力が弱まり或いはなくなることと、バネ７７の弾発力によって、図２や図３（Ｂ）における右向きに揺動するようになる。
【００７１】
なお、図５（Ｂ）では、装填されたＦＰＤカセッテＦを抜き出す場合として説明したが、その場合だけでなく、ＦＰＤカセッテＦを装填する際にも、図５（Ｂ）では図示しないガイド部材６１ａ、６１ｂに沿って移動してきたＦＰＤカセッテＦの背面に押されることで、ロック部材６３が揺動軸６３ｂを中心として揺動して、係止爪６３ａが保持部６の背面側に退出するため、ロック部材６３は自動的に解除状態になる。すなわち、ロック部材６３は解除動作を行う。
【００７２】
このように、ロック部材６３は、図５（Ａ）に示したように、保持動作を行って、係止部６３ａを保持部６の背面側から表面側に突出させて、係止爪６３ａを装填されたＦＰＤカセッテＦに係止させることで、ＦＰＤカセッテＦを、保持部６における所定の位置に保持する。
【００７３】
また、ロック部材６３は、図５（Ｂ）に示したように、解除動作を行って、係止爪６３ａを保持部６の背面側に退出させて、係止爪６３ａのＦＰＤカセッテＦに対する係止を解除することで、ＦＰＤカセッテＦの保持を解除して、ＦＰＤカセッテＦの移動を許容するようになっている。
【００７４】
次に、上記のような構成を有するブッキー撮影台１の保持部６へのＦＰＤカセッテＦの装填時や抜き出し時における各部材の動作等について説明するとともに、本実施形態にかかるブッキー撮影台１の作用について説明する。
【００７５】
ＦＰＤカセッテＦが装填される前の、保持部６の状態は、図２に示した状態になっており、その際、ロック部材６３は、図５（Ａ）（ただしＦＰＤカセッテＦは存在しない。）に示した状態になっている。
【００７６】
その状態で、ブッキー撮影台１の本体部５の開口５１側（図１参照）からＦＰＤカセッテＦが装填されると、ＦＰＤカセッテＦは、上下のガイド部材６１ａ、６１ｂ（図２参照）に沿って移動する際に、図５（Ｂ）に示したように、ＦＰＤカセッテＦの背面でロック部材６３の係止爪６３ａを保持部６の背面側に押し下げて（すなわちロック部材６３に解除動作をさせて）、ロック部材６３を解除状態にする。
【００７７】
この場合、前述したように、ロック部材６３が解除動作を行うと、図５（Ｂ）に示したようにワイヤリング部材６３ｃの一方の腕部が押されるため、ワイヤリング部材６３ｃが揺動軸６３ｄを中心として揺動して、ワイヤリング部材６３ｃの他方の腕部に取り付けられたワイヤＷを図５（Ｂ）における右側に引っ張る状態になる。
【００７８】
しかし、この場合は、緩んだ状態のワイヤＷに張力を及ぼして（すなわちテンションをかけて）、ワイヤＷをいわばピンと張った状態にするだけであり、コネクタ８を揺動させるまでには至らない。なお、以下の図６〜図８では、上側に正面図、下側に図５（Ａ）、（Ｂ）と同様の断面図を示す。
【００７９】
ＦＰＤカセッテＦがさらに押し込められると、図６に示すように、リンク部材７の受け部材７２に当接する状態になる。その際、前述したように、受け部材７２は、バネ７４の弾発力で移動してくるＦＰＤカセッテＦに抗する方向に付勢されている。
【００８０】
そのため、ＦＰＤカセッテＦが仮に比較的強く受け部材７２に当接しても、その衝撃をバネ７４が吸収するため、ＦＰＤカセッテＦが、ストッパ６２やリンク部材７、コネクタ８等に衝突することを防止することが可能となる。
【００８１】
そして、ＦＰＤカセッテＦがさらに押し込められると、バネ７４が縮められて、リンク部材７の受け部材７２が後方（すなわち図６における左側）に移動するため、リンク部材７が支点７１を中心として回動して、コネクタ８がＦＰＤカセッテＦに接近するように移動する。
【００８２】
その際、移動するコネクタ８によりワイヤＷが引っ張られるが、上記のようにロック部材６３の解除動作によりワイヤＷにテンションがかかっており、ロック部材６３はいまだに解除状態であり（図６の下図参照）、ワイヤＷはコネクタ８に追従できないため、逆に、ワイヤＷがコネクタ８を下方に引っ張る状態になる。
【００８３】
そのため、コネクタ８は、リンク部材７の回動により移動することで、その下端側がワイヤＷにより下向きに引っ張られるため、図６における左向きに揺動する。そのため、ＦＰＤカセッテＦが図６に示した状態からさらに押し込まれると、図７に示すように、リンク部材７が鉛直方向を向くように回動するとともに、コネクタ８が支点８１を中心として揺動し、コネクタ８の図７における上端側が下端側よりもＦＰＤカセッテＦから離間する状態になる。なお、図７の状態では、ロック部材６３は、まだ解除状態である。
【００８４】
なお、図６の状態から図７の状態になる際に、コネクタ８が支点８１を中心として揺動することができるように、ワイヤＷの長さが予め調整される。
【００８５】
すなわち、ワイヤＷの長さが長すぎると、コネクタ８が図７の状態になれずに、揺動しないまま後述する図８の状態になってしまう。また、ワイヤＷの長さが短すぎると、ワイヤＷのテンションでコネクタ８がＦＰＤカセッテＦに接近するように移動できなくなったり、ワイヤＷが切れてしまったりする。
【００８６】
図７に示した状態になると、コネクタ８の一端側（図７では上端側）がＦＰＤカセッテＦから離間した状態になり、他端側（図７では下端側）がＦＰＤカセッテＦに当接した状態になる。
【００８７】
そして、コネクタ８の下側の位置決めピン８ｄ（図３（Ａ）、（Ｂ）参照）が、図７では図示を省略するＦＰＤカセッテＦのコネクタ部ｆｃの下側の孔ｆｃ３（図４参照）に若干入り込む。そのため、この時点から、前述したコネクタ８とＦＰＤカセッテＦのコネクタ部ｆｃとの接続における位置決めピン８ｄと孔ｆｃ３による位置決めが始まる。
【００８８】
ＦＰＤカセッテＦがさらに押し込められると、ロック部材６３が、今までの図５（Ｂ）に示した状態から保持動作を行って、図５（Ａ）に示した状態すなわち保持状態になる。そして、図８に示すように、ＦＰＤカセッテＦが、ロック部材６３の係止爪６３ａと、ストッパ６２と、上下のガイド部材６１ａ、６１ｂにより、保持部６における所定の位置に保持される。
【００８９】
また、ロック部材６３の係止爪６３ａが保持部６の背面側から表面側に突出することで、係止爪６３ａのワイヤリング部材６３ｃに対する押圧が解かれるため、ワイヤリング部材６３ｃは、揺動軸６３ｄを中心として揺動して、ワイヤリング部材６３ｃの腕部に取り付けられたワイヤＷのテンションを緩める。
【００９０】
そのため、ロック部材６３の保持動作に連動して、ワイヤリング部材６３ｃがワイヤＷを図５（Ｂ）における右向きに引っ張る力が弱まり、若しくはなくなるため、ワイヤＷがコネクタ８の下端側を図２や図３（Ｂ）における下向きに引っ張る力が弱まり、若しくはなくなる。
【００９１】
そのため、図６では左向きに揺動していたコネクタ８が、ワイヤＷが引っ張る力が弱まり或いはなくなることと、バネ７７の弾発力によって、図８に示すように、右向きに揺動する。
【００９２】
そして、前述したように、コネクタ８の上下の位置決めピン８ｄ（図３（Ａ）、（Ｂ）参照）が、ＦＰＤカセッテＦのコネクタ部ｆｃの上下の孔ｆｃ３（図４参照）に入り込み、マグネット８ｃが金属板ｆｃ２に磁着して、コネクタ８の各ピン８ｂとＦＰＤカセッテＦのコネクタ部ｆｃの平面状の各ピンｆｃ１とが圧接されて電気的に接続された状態になる。
【００９３】
このようにして、ＦＰＤカセッテＦが保持部６に保持されると同時に、コネクタ８とＦＰＤカセッテＦのコネクタ部ｆｃとが確実に接続される。
【００９４】
以上のように、本実施形態では、図８に示したように、ロック部材６３が保持動作を行うと、それに連動してコネクタ８の一端側（図８では上端側）がＦＰＤカセッテＦに接近する方向に揺動することで、コネクタ８がＦＰＤカセッテＦのコネクタ部ｆｃとが接続される。
【００９５】
一方、ＦＰＤカセッテＦを保持部６から抜き出す際には、前述したように、放射線技師等の操作により、ロック部材６３の係止爪６３ａが、図８の下図や図５（Ａ）に示した状態から、図７の下図や図５（Ｂ）に示したように保持部６の背面側に退出せしめられて（すなわち保持部６の背後に引っ込められて）、ロック部材６３の解除動作が行われる。
【００９６】
すると、ロック部材６３の係止爪６３ａが保持部６の背面側に退出することで、ワイヤリング部材６３ｃを押圧し、ワイヤリング部材６３ｃが揺動軸６３ｄを中心として揺動して、ワイヤリング部材６３ｃの腕部に取り付けられたワイヤＷが引っ張られる。そのため、コネクタ８が、支点８１を中心として図中左側（支点８１を揺動中心とする時計方向廻り）に揺動して、図７に示した状態になる。
【００９７】
その際、コネクタ８とＦＰＤカセッテＦのコネクタ部ｆｃとは、上記のようにマグネット８ｃにより強く磁着されている。そのため、例えば図１１に矢印で示したように、コネクタ８とＦＰＤカセッテＦのコネクタ部ｆｃとが接続されている状態で、それらの接続面に対して垂直な方向に力を加えて引き離すように構成されていると、強い力を加えないと引き離すことができない。
【００９８】
しかし、図８や図７に示した本実施形態のように、コネクタ８の一端側（図７や図８では上端側）から徐々にＦＰＤカセッテＦから離間させることで、図１１に示した略平行に両者を離間させる場合よりも、より弱い力でも容易にコネクタ８をＦＰＤカセッテＦのコネクタ部ｆｃから引き離すことが可能となり、力づくの離脱方式に起因する内部機構の損傷等を避けることができる。
【００９９】
そのため、本実施形態のように、ロック部材６３の解除動作に連動してコネクタ８の一端側（図７や図８では上端側）のみをＦＰＤカセッテＦから離間させるように構成することで、ＦＰＤカセッテＦの保持を解除すると同時に、ロック部材６３の解除動作により発生するワイヤＷの引っ張り力でコネクタ８を揺動させて、ＦＰＤカセッテＦのコネクタ部ｆｃから容易かつ的確にコネクタ８を引き離すことが可能となる。
【０１００】
以後は、リンク部材７等は、ＦＰＤカセッテＦの装填時とは逆の動きをして、図７の状態から図６の状態を経て、図２の状態に戻る。
【０１０１】
このように、本実施形態では、図７に示したように、ロック部材６３が解除動作を行うと、それに連動してコネクタ８の一端側がＦＰＤカセッテＦから離れる方向に揺動して、コネクタ８の一端側がコネクタ部ｆｃから離間することで、コネクタ８とＦＰＤカセッテＦのコネクタ部ｆｃとの接続が解除される。
【０１０２】
以上のように、本実施形態に係るブッキー撮影台１によれば、コネクタ８を、装填されたＦＰＤカセッテＦのコネクタ部ｆｃに対して一端側（上記の場合は上端側）がコネクタ部ｆｃから離間したり接近したりして揺動することができるように構成した。そして、ロック部材６３が保持動作を行うとそれに連動してコネクタ８の一端側が揺動してコネクタ部ｆｃと接続し、ロック部材６３が解除動作を行うとそれに連動してコネクタ８の一端側がＦＰＤカセッテＦから離れる方向に揺動して離間することで、コネクタ８とコネクタ部ｆｃとの接続が解除されるように構成した。
【０１０３】
そのため、ＦＰＤカセッテＦを使用している最中にコネクタ８とＦＰＤカセッテＦのコネクタ部ｆｃとの接続が外れてしまうことを防止するために、比較的強い磁力のマグネット８ｃを用いて確実に接続するように構成される場合であっても、ＦＰＤカセッテＦを保持部６から抜き出す際には、コネクタ８をＦＰＤカセッテＦのコネクタ部ｆｃから的確かつ容易に引き離すことが可能となる。
【０１０４】
このように、本実施形態に係るブッキー撮影台１によれば、ＦＰＤカセッテＦを装填したり、ＦＰＤカセッテＦを抜き出す際に、ブッキー撮影台１のコネクタ８とＦＰＤカセッテＦのコネクタ部ｆｃとを的確に着脱させることが可能となる。
【０１０５】
一方、本実施形態に係るブッキー撮影台１によれば、支点７１を中心として保持部６に回動可能に取り付けられたリンク部材７を設けた。そして、リンク部材７の一端側にコネクタ８を設け、他端側を、装填時にガイド部材６１ａ、６１ｂに沿って移動してくるＦＰＤカセッテＦに抗する方向に付勢されるように構成した。
【０１０６】
そのため、ＦＰＤカセッテＦの装填時に、移動してくるＦＰＤカセッテＦをリンク部材７の他端側すなわち受け部材７２で受け止めて、他端側（すなわち受け部材７２）を付勢するバネ７４でその衝撃を吸収するため、ＦＰＤカセッテＦがコネクタ８やリンク部材７等に衝突することを的確に防止することが可能となる。
【０１０７】
そのため、ＦＰＤカセッテＦのブッキー撮影台１の保持部６への装填時に、ＦＰＤカセッテＦがブッキー撮影台１のリンク部材７等の各部材、特にコネクタ８に衝突して、コネクタ８等が破損することを的確に防止することが可能となる。
【０１０８】
なお、本実施形態では、コネクタ８に支点８１や孔部８２等（図２や図３（Ｂ）等参照）を設けるように構成する場合について説明したが、コネクタ８に支点８１や孔部８２が設けられていない場合もある。そのような場合には、例えば、コネクタ８を図示しないコネクタホルダで保持するように構成し、コネクタホルダに支点８１や孔部８２等を設けるように構成することが可能である。
【０１０９】
また、本実施形態では、図１等に示したように、本体部５に対して、向かって右側からＦＰＤカセッテＦを装填するタイプのブッキー撮影台１の場合について説明したが、本体部５に対して、向かって左側からＦＰＤカセッテを装填するタイプのブッキー撮影台についても同様に説明され、そのようなブッキー撮影台にも本発明を適用することができる。
【０１１０】
その際、左側から装填するタイプのブッキー撮影台では、コネクタ８やリンク部材７等を含む保持部６の構成は、図示を省略するが、例えば、図２に示した構成を１８０°回転させた状態（すなわち上下と左右をそれぞれ入れ替えた状態）に構成される。
【０１１１】
さらに、本実施形態では、図２や図６等に示すように、ブッキー撮影台１に対して、ＦＰＤカセッテＦを、コネクタ部ｆｃが側方に位置する状態で装填する場合について説明した。そして、本実施形態では、例えば図８に示した状態で、保持部６を例えば９０°回転させることで、ＦＰＤカセッテＦを、コネクタ部ｆｃが例えば下方に位置する状態に装填された状態とすることが可能である。
【０１１２】
しかし、もともと、ＦＰＤカセッテＦを、コネクタ部ｆｃが例えば下方に位置する状態で装填するように構成することも可能である。そして、この場合にも、本発明が適用可能である。
【０１１３】
この場合、ブッキー撮影台の保持部６は、例えば図９に示すように、基本的に図２に示した状態と同様の状態に構成される。また、ロック部材６３も、図５（Ａ）、（Ｂ）に示した状態と同様の状態に構成される。そして、各部材は、本実施形態の場合と同様に機能する。
【０１１４】
しかし、この場合、図９に示すように、ＦＰＤカセッテＦは、保持部６に対して、右斜め上側或いは左斜め上側から装填されることになり、ＦＰＤカセッテＦが装填されてくる側のガイド部材６１ａ、６１ｂ（図９の場合は右側のガイド部材６１ｂ）が、装填の邪魔になる。
【０１１５】
そこで、この場合は、例えば、ＦＰＤカセッテＦが装填されてくる側のガイド部材６１ｂ（図９で左側から装填する場合はガイド部材６１ａ。以下同じ。）を、保持部６に対して倒立自在に設けることが可能である。そして、ＦＰＤカセッテＦを装填する際には、当該ガイド部材６１ｂを転倒させて、ＦＰＤカセッテＦを装填させ、ＦＰＤカセッテＦの装填が完了した時点で当該ガイド部材６１ｂを起立させて、ＦＰＤカセッテＦの端部に係止させるように構成することが可能である。
【０１１６】
ところで、上記の実施形態や変形例では、リンク部材７を、保持部６に対して支点７１を中心に回動可能に取り付け、その一端側にコネクタ８を設け、他端側に受け部材７２を設けて、受け部材７２をバネ７４で付勢するように構成した場合について説明した。
【０１１７】
これは、前述したように、ＦＰＤカセッテＦの装填時に、移動してくるＦＰＤカセッテＦを受け部材７２で受け止めて、バネ７４でその衝撃を吸収して、ＦＰＤカセッテＦがコネクタ８やリンク部材７等に衝突しないようにするためのものである。そして、このように構成することで、ＦＰＤカセッテＦの装填時にコネクタ８等が壊れないようにすることが可能となるといった利点がある。
【０１１８】
しかし、リンク部材７は必ずしも設けられる必要はない。そして、このようにリンク部材７を設けない場合には、例えば、コネクタ８を保持部８に対して支点８１を中心として揺動可能に設けることが可能である。
【０１１９】
そして、この場合、例えば図８に示したように（ただしこの場合はリンク部材７は設けられない。）、ロック部材６３が保持動作を行うと、それに連動してコネクタ８の一端側（図８では上端側）がＦＰＤカセッテＦに接近する方向に揺動することでコネクタ８がＦＰＤカセッテＦのコネクタ部ｆｃと接続する。
【０１２０】
また、例えば図７に示したように（ただしこの場合もリンク部材７は設けられない。）、ロック部材６３が解除動作を行うと、それに連動してコネクタ８の一端側が逆方向に揺動してコネクタ８の一端側がコネクタ部ｆｃから離間することで、コネクタ８とＦＰＤカセッテＦのコネクタ部ｆｃとの接続が解除されるように構成することが可能である。
【０１２１】
なお、本発明の効果がより的確に発揮されるように保持部６の構成等を改良する等の変更は、適宜行われる。例えば、上記の実施形態や変形例では、図２や図３（Ｂ）に示したように、ワイヤＷでコネクタ８の下端側を引っ張ることでコネクタ８を揺動させるように構成したが、例えば、ワイヤＷでコネクタ８の上端側を引っ張るように構成しても、コネクタ８を揺動させることができる。
【０１２２】
また、上記の実施形態や変形例では、ロック部材６３の保持動作や解除動作と、コネクタ８の揺動すなわちコネクタ８のＦＰＤカセッテＦのコネクタ部ｆｃへの着脱を連動させるために、ワイヤＷを用いて物理的な引っ張り力でコネクタ８を揺動させる構成について説明したが、この他にも、例えば、図示を省略するが、ロック部材６３の動作を検知する検知手段やコネクタ８を揺動させるモータ等を設け、検知手段とモータの回転を連動させるように構成することも可能である。
【０１２３】
このように、本発明が上記の実施形態や変形例に限定されず、適宜変更可能であることはいうまでもない。
【符号の説明】
【０１２４】
１  ブッキー撮影台
２  カセッテホルダ
６  保持部
６１ａ、６１ｂ  ガイド部材
６３  ロック部材
７  リンク部材
７１  支点
８  コネクタ
８ｃ  マグネット
Ｆ  ＦＰＤカセッテ
ｆｃ  コネクタ部
ｆｃ３  金属板
【図１】
2012110542.tif 000003
【図２】
2012110542.tif 000004
【図３】
2012110542.tif 000005
【図４】
2012110542.tif 000006
【図５】
2012110542.tif 000007
【図６】
2012110542.tif 000008
【図７】
2012110542.tif 000009
【図８】
2012110542.tif 000010
【図９】
2012110542.tif 000011
【図１０】
2012110542.tif 000012
【図１１】
2012110542.tif 000013